(57)【要約】【課題】作業者の安全帯のロープの端部の取付個所の確保がＨ型の支柱に設けることにより容易に行える支柱を複数立設した施設の法面作業における作業者の安全帯接続用水平親綱機構を提供する。【解決手段】水平断面Ｈ型の支柱Ａを複数間隔をあけて立設した施設に形成された法面において、支柱Ａの両側の凹部を成す端面に、支柱取付金具１の相対向した端部を夫々係止して支柱Ａに取付固定し、他の支柱Ａにも同様に支柱取付金具１を取付固定し、これらの各支柱取付金具１の一端に夫々設けた親綱取付部６に親綱９を渡して張り、親綱９上に一端を移動自在に取り付けた第１ロープ１０の他端を垂下し、第１ロープ１０上に一端を移動、固定自在に取り付けた第２ロープ１１を設け、第２ロープ１１の先端を作業者Ｅの安全帯１２に取り付けた。【選択図】図１
0003165143.tif 000002
【実用新案登録請求の範囲】
【請求項１】
水平断面Ｈ型の支柱を複数間隔をあけて立設した施設に形成された法面において、
前記支柱の両側の凹部を成す端面に、支柱取付金具の相対向した端部を夫々係止して当該支柱に取付固定し、他の支柱にも同様に支柱取付金具を取付固定し、これらの各支柱取付金具の一端に夫々設けた親綱取付部に親綱を渡して張り、当該親綱上に一端を移動自在に取り付けた第１ロープの他端を垂下し、当該第１ロープ上に一端を移動、固定自在に取り付けた第２ロープを設け、当該第２ロープの先端を作業者の安全帯に取り付けたことを特徴とする、水平断面Ｈ型の支柱を複数間隔をあけて立設した施設の法面作業における作業者の安全帯接続用水平親綱機構。
【請求項２】
前記支柱取付金具は、二つのアングル材の各一端縁を前記支柱の両側の凹部を成す各内側端面に夫々係止して当該支柱に取付固定し、各アングル材の他方の端部外側に前記親綱取付部を設けたことを特徴とする、前記請求項１に記載の水平断面Ｈ型の支柱を複数間隔をあけて立設した施設の法面作業における作業者の安全帯接続用水平親綱機構。
【請求項３】
前記支柱取付金具は、一定幅を有したアングル材を平面視アングル状に二つ立設して一方の端縁を相対向して設け、当該アングル材の他方の端部に貫通孔を夫々設け、
前記相対向する貫通孔に横からボルトを挿通し、当該二つのアングル材を挿通して他方に突出した前記ボルトの脚部にナットを螺着して固定自在としたことを特徴とする、前記請求項１又は２に記載の水平断面Ｈ型の支柱を複数間隔をあけて立設した施設の法面作業における作業者の安全帯接続用水平親綱機構。
【請求項４】
前記支柱取付金具の二つの各アングル材の一方の端縁を先細の刃部としたことを特徴とする、前記請求項１、２又は３の何れかに記載の水平断面Ｈ型の支柱を複数間隔をあけて立設した施設の法面作業における作業者の安全帯接続用水平親綱機構。
【考案の詳細な説明】
【技術分野】
【０００１】
この考案は、水平断面Ｈ型の支柱を複数間隔をあけて立設した施設、例えば、Ｈ型鋼の支柱に遮音板を把持して遮音壁を設けた高速道路等の法面であって、当該法面で行われる各種の作業において、作業者の滑落、転落を防止する、作業者の安全帯接続用水平親綱機構に関するものである。
【背景技術】
【０００２】
従来、図８に示す様に、Ｈ型鋼の支柱に遮音板を把持して遮音壁を備えた高速道路等の施設の法面Ｄにおいては、斜面崩壊や地滑りを防ぐ目的で土留等の各種工事や除草等の作業が行われている。これらの工事等は斜面で行われ、作業者Ｅの滑落や転落の危険性が有るため、上方から垂下されたメインロープに作業者Ｅの安全帯に取り付けるロープの一端を取り付けて行われている（図８ではメインロープや安全帯等の記載を省略）。
【０００３】
例えば、特許文献１に記載されたものでは、法面の最上部にアンカーを打ち込み、このアンカーにメインロープを取り付けて下方へ垂らし、作業者はこのメインロープに、ベルト、補助ベルト及び仮止め金具を介して自身の安全帯を取り付けて作業が行われている。
【特許文献１】特開２００２−１８６６７９号公報
【考案の開示】
【考案が解決しようとする課題】
【０００４】
しかしながら、この特許文献１に記載されたものでは、アンカーに取り付けられたメインロープを上から垂らしたものであり、アンカー等を打たなければメインロープを取り付けることが出来ず、例えば、前記遮音壁のＨ型鋼の支柱や壁材などにはメインロープを取り付けることが出来なかった。また、上から垂らされたメインロープでは、上下方向の移動は比較的円滑に行えるが、左右方向の移動に対しては狭く限られたものとなる。作業を充分に行うには、どうしても左右方向のさらなる動きが求められている。そこで、作業者は左右方向に移動する場合、いちいち隣接するメインロープをキャッチして仮止め金具に付け替えることをしなければならなかった。
加えて、法面作業において、安全帯装着による落下事故の防止には、その安全帯に取り付けるロープの端部を取り付ける個所の確保が重要な課題となっている。
【０００５】
この考案は、この様な状況に鑑みて行われたもので、法面作業において、作業者の安全帯に取り付けるロープの端部の取付個所の確保が、水平断面Ｈ型の支柱に設けることにより、容易に行え、実際の作業では、上下左右方向の移動が円滑に行える、水平断面Ｈ型の支柱を複数間隔をあけて立設した施設の法面作業における作業者の安全帯接続用水平親綱機構を提供して前記課題を解決するものである。
【課題を解決するための手段】
【０００６】
請求項１の考案は、水平断面Ｈ型の支柱を複数間隔をあけて立設した施設に形成された法面において、前記支柱の両側の凹部を成す端面に、支柱取付金具の相対向した端部を夫々係止して当該支柱に取付固定し、他の支柱にも同様に支柱取付金具を取付固定し、これらの各支柱取付金具の一端に夫々設けた親綱取付部に親綱を渡して張り、当該親綱上に一端を移動自在に取り付けた第１ロープの他端を垂下し、当該第１ロープ上に一端を移動、固定自在に取り付けた第２ロープを設け、当該第２ロープの先端を作業者の安全帯に取り付けた水平断面Ｈ型の支柱を複数間隔をあけて立設した施設の法面作業における作業者の安全帯接続用水平親綱機構とした。
【０００７】
請求項２の考案は、前記支柱取付金具は、二つのアングル材の各一端縁を前記支柱の両側の凹部を成す各内側端面に夫々係止して当該支柱に取付固定し、各アングル材の他方の端部外側に前記親綱取付部を設けた、前記請求項１に記載の水平断面Ｈ型の支柱を複数間隔をあけて立設した施設の法面作業における作業者の安全帯接続用水平親綱機構とした。
【０００８】
請求項３の考案は、前記支柱取付金具は、一定幅を有したアングル材を平面視アングル状に二つ立設して一方の端縁を相対向して設け、当該アングル材の他方の端部に貫通孔を夫々設け、前記相対向する貫通孔に横からボルトを挿通し、当該二つのアングル材を挿通して他方に突出した前記ボルトの脚部にナットを螺着して固定自在とした前記請求項１又は２に記載の水平断面Ｈ型の支柱を複数間隔をあけて立設した施設の法面作業における作業者の安全帯接続用水平親綱機構とした。
【０００９】
請求項４の考案は、前記支柱取付金具の二つの各アングル材の一方の端縁を先細の刃部とした前記請求項１、２又は３の何れかに記載の水平断面Ｈ型の支柱を複数間隔をあけて立設した施設の法面作業における作業者の安全帯接続用水平親綱機構とした。
【考案の効果】
【００１０】
請求項１の考案によれば、前記支柱の両側の凹部を成す端面に、支柱取付金具の相対向した端部を夫々係止して当該支柱に取付固定するので、これまで、メインロープを取付出来なかった、例えば、Ｈ型鋼の支柱の両側の凹部に遮音板を嵌め入れて遮音壁を形成している高速道路等に、この支柱取付金具を容易かつ確実に取り付けることが出来る。
【００１１】
これにより、二つの支柱に夫々支柱取付金具を取り付け、これらの二つの支柱間に親綱を渡し、この親綱に他のロープを介して作業者の安全帯を取り付けることにより、これらの支柱間の法面作業において、作業者の安全帯を取り付けるロープや親綱の取付個所が容易に確保出来る。また、この安全帯接続用水平親綱機構を取り付けた範囲では、作業者は上下左右方向に安全かつ容易に移動して作業が出来るので、作業が充分に出来その能率も上がるものである。
【００１２】
請求項２の考案によれば、前記支柱取付金具は、二つのアングル材としたので、例えば、Ｈ型鋼の支柱の両側の凹部に遮音板を嵌め入れて遮音壁を形成している高速道路等であって、前記支柱の両側の凹部を成す各内側端面に前記支柱取付金具の各一端縁を係止すれば、容易且つ確実に支柱の凹部に差し入れてこの支柱取付金具を係止取付することが出来る。
【００１３】
これにより、これまで、取付出来なかったＨ型鋼の支柱の両側の凹部に遮音板を嵌め入れて遮音壁を形成している高速道路等に、この支柱取付金具を容易かつ確実に取り付けることが出来、作業者の安全帯を取り付けるロープや親綱の取付個所が容易に確保出来る。また、この安全帯接続用水平親綱機構を取り付けた範囲では、作業者は上下左右方向に安全かつ容易に移動して作業が出来るので、作業が充分に出来その能率も上がるものである。
【００１４】
請求項３の考案によれば、前記支柱取付金具の二つのアングル材をボルトとナットにより、前記支柱に取り付けることとしたので、この支柱取付金具の支柱に対する取り付け取り外しが、極めて簡単且つ確実に行うことが出来、この安全帯接続用水平親綱機構をより使い勝手の良いものとしている。
【００１５】
請求項４の考案によれば、前記支柱取付金具の二つの各アングル材の一方の端縁を先細の刃部としたので、この支柱取付金具を取り付けるのが、例えば、Ｈ型鋼の支柱の両側の凹部に遮音板を嵌め入れて遮音壁を形成している高速道路等であって、前記支柱の両側の凹部を成す各内側端面と前記遮音板の端部外側面との空間が狭い隙間であっても、容易且つ確実に前記刃部を差し入れてこの支柱取付金具を係止取付することが出来る。
【考案を実施するための最良の形態】
【００１６】
水平断面Ｈ型の支柱を複数間隔をあけて立設した施設に形成された法面において、前記支柱の両側の凹部を成す端面に、支柱取付金具の相対向した端部を夫々係止して当該支柱に取付固定し、他の支柱にも同様に支柱取付金具を取付固定し、これらの各支柱取付金具の一端に夫々設けた親綱取付部に親綱を渡して張り、当該親綱上に一端を移動自在に取り付けた第１ロープの他端を垂下し、当該第１ロープ上に一端を移動、固定自在に取り付けた第２ロープを設け、当該第２ロープの先端を作業者の安全帯に取り付けた。
【００１７】
これにより、これまで、メインロープを取付出来なかった、例えば、Ｈ型鋼の支柱の両側の凹部に遮音板を嵌め入れて遮音壁を形成している高速道路等に、この支柱取付金具を容易かつ確実に取り付けることが出来る。 
【実施例】
【００１８】
以下、この考案の実施例を図に基づいて説明する。
図１は、この考案の実施例の水平断面Ｈ型の支柱と板材で壁面を設けた施設の法面作業における作業者の安全帯接続用水平親綱機構を示す正面図である。図２は、この考案の実施例の支柱取付金具の平面図である。図３は、同支柱取付金具の正面図である。図４は、同支柱取付金具の右側面図である。図５は、同支柱取付金具を、Ｈ型鋼の支柱に取付固定した状態の平面図である。図６は、同支柱取付金具の両端の親綱取付部に、親綱の一端を夫々取り付けた状態の正面図である。
【００１９】
まず、この実施例で使用する水平断面Ｈ型の支柱と板材で壁面を設けた施設の法面を説明する。図１に示す様に、Ｈ型鋼から成る支柱Ａを一定間隔で連続して複数立設し、これらの支柱Ａの両側の凹部に遮音板Ｂを夫々嵌め入れて遮音板Ｂを複数段積み上げて遮音壁Ｃが設けられている。ここでは高速道路施設におけるものとし、４０００ｍｍ毎に前記支柱Ａが立設されて遮音壁Ｃが形成されており、この遮音壁Ｃの下方に法面Ｄが形成されている。
【００２０】
次に、この安全帯接続用水平親綱機構の設け方を説明する。図１に示す様に、支柱Ａにこの支柱取付金具１を取り付けた後、隣接する支柱Ａを飛ばしてその次の支柱Ａの同じ高さの位置に他の支柱取付金具１を取り付ける。図６に示す様に、これらの各支柱取付金具１の両端に夫々設けた親綱取付部６に、両端に、一部が開閉自在な環状の係止部（フック）９ａを備えた親綱９を取り付けて張り、この親綱９上に、一端に、一部が開閉自在な環状の係止部（フック）１０ａを備えた第１ロープ１０を移動自在に取り付けて下方に垂下する。
【００２１】
また、この第１ロープ１０上に、一端に移動固定自在なロック装置１１ａを備え、他端に、一部が開閉自在な環状の係止部（フック）を備えた第２ロープ１１を取り付ける。そして、この第２ロープ１１の他端の係止部（フック）を作業者Ｅの安全帯１２に取り付ける。
【００２２】
続いて、この実施例で使用する支柱取付金具１を説明する。この支柱取付金具１は、図２、３及び４に示す様に、一定幅を有し、一方の端縁を先細にした刃部２としたアングル材３を、平面視アングル状に二つ立設し、前記刃部２を相対向して設け、これらのアングル材３の他方の端部に上下に貫通孔４を二つ夫々設け、これらの各上下二つの貫通孔４の中間位置に左右に小孔５を二つ夫々並設する。
【００２３】
また、略Ｕ型の親綱取付部６を横にして当該親綱取付部６の各端部６ａを前記二つの小孔５に挿入して溶接して取り付ける。そして、前記貫通孔４には、この支柱取付金具１を支柱Ａに取り付ける際、横からボルト７を夫々挿通し、ボルト７を挿通した方とは反対の方に突出した当該ボルト７の脚部７ａにナット８を螺着して、この支柱取付金具１を支柱Ａに取り付け固定する。
【００２４】
法面作業を行う現場において、前記アングル材３、ボルト７及びナット８に分解した支柱取付金具１を用意する。前記支柱Ａの外側から、図５に示す様に、この支柱Ａの両側の凹部を成す各内側端面と前記遮音板Ｂの各端部外側面との隙間に、支柱取付金具１の二つのアングル材３の各刃部２を差し入れてこれらを相対向して設ける。
【００２５】
その後、図３に示す様に、これらの二つのアングル材３の相対向する上下二つの貫通孔４に横からボルト７を夫々挿通し、当該二つのアングル材３を挿通して他方から突出した前記ボルト７の各脚部７ａにナット８を夫々螺着して、この支柱取付金具１を支柱Ａに取り付ける。この時、上部のボルト７を挿通する向きと下部のボルト７を挿通する向きを逆にしておくと、この支柱取付金具１を支柱Ａに取り付ける際のバランスが良い。
【００２６】
以上により、これまで、親綱やメインロープ（前記実施例１では第１ロープ）等の端部を既存の施設器具に取付出来なかったが、この考案によれば、高速道路等のＨ型鋼の支柱に、この支柱取付金具を容易かつ確実に取り付け、この支柱取付金具に親綱やメインロープを取り付けることが出来る。そして、この安全帯接続用水平親綱機構を取り付けた範囲（前記取り付けられた二つの支柱取付金具間）では、作業者Ｅは上下左右方向に、安全かつ容易に移動することが出来、作業が十分に行え、その効率も上がるものである。また、当該場所の作業が終われば次の作業を行う場所へ移動し、この安全帯接続用水平親綱機構を取り付けて作業を行う。この時、支柱取付金具１の支柱Ａへの取り付け取り外しがボルト７とナット８の緩締によるものであり極めて簡単に出来、安全帯接続用水平親綱機構として使い勝手の良いものである。
【００２７】
前記実施例では、親綱９、第１ロープ１０、ロック装置１１ａ及び第２ロープ１１として、親綱、第１ロープ、ロック装置及び第２ロープとしては、これらのものに限るものではなく、この実施例において、前記部材としての構成を有し、支障無く効果を奏することが出来るものであれば良い。例えば、前記親綱９に代えて、図７に示す様に、亜鉛メッキ鋼より線１３等を用いても良く、その際、亜鉛メッキ鋼より線１３の両端に巻付グリップ１５を設け、一方の巻付グリップ１５の一端を支柱取付金具１に係止し、他方の巻付グリップ１５の一端をターンバックル１４や介して支柱取付金具１に係止しても良い。
【００２８】
また、この安全帯接続用水平親綱機構を取り付ける対象として、高速道路施設を使用しているが、この安全帯接続用水平親綱機構を取り付けることが出来る水平断面がＨ型の支柱を複数間隔をあけて立設した施設であるならばもちろん他の施設でも良い。また、水平断面がＨ型の支柱Ａとして、Ｈ型鋼を使用しているが、板材を取り付け把持出来るものであるならば、他の水平断面Ｈ型のものでも良い。また、この支柱Ａに取り付け支持する板材として遮音板Ｂを使用しているが、遮音板に限らず、他の板材でももちろん良い。
【００２９】
さらに、支柱取付金具１の一方の端縁の全てを先細状の刃部２としているが、必ずしも刃部にする必要は無く、扁平な端縁でももちろん良い。また、支柱取付金具１の支柱Ａへの取り付けに際し、２本のボルト７を互いに逆の方向から挿通し取り付けているが、図７に示す様に、これらは同じ方向から挿通し取り付けてももちろん良い。
【００３０】
また、支柱取付金具１として、アングル材３の他の端部に二つの貫通孔４及び小孔５を設けたものを使用したが、支柱取付金具１の構成としてはこれに限るものではなく、この支柱取付金具１の支柱Ａへの取り付けは、１本のボルト及びナットで他の貫通孔に親綱取付部を取り付けても良く、また、親綱取付部６を略Ｕ型のものを使用したが、親綱取付部としては略Ｕ型に限るものではなく、親綱９の端部を確実に取り付けられるものであるならば、他の構成のものでも良い。
【００３１】
また、支柱取付金具１を取り付け、その後、隣接する支柱Ａを飛ばしてその次の支柱Ａに他の支柱取付金具１を取り付けているが、これは、労働安全衛生規則では、仮設足場における水平親綱の１本の使用範囲が１０００ｍｍ以内となっており、ここでは遮音壁の支柱のスパンが４０００ｍｍ毎のため、２スパンで８０００ｍｍとしているためである。それ故、支柱取付金具１は隣接する支柱Ａに取り付けてももちろん良い。
【図面の簡単な説明】
【００３２】
【図１】この考案の実施例のＨ型支柱と板材で壁面を設けた施設の法面作業における作業者の安全帯接続用水平親綱機構を示す正面図である。
【図２】この考案の実施例の支柱取付金具の平面図である。
【図３】この考案の実施例の支柱取付金具の正面図である。
【図４】この考案の実施例の支柱取付金具の右側面図である。
【図５】この考案の実施例の支柱取付金具を、Ｈ型鋼の支柱に取付固定した状態の平面図である。
【図６】この考案の実施例の支柱取付金具の両端の親綱取付部に、親綱の一端を夫々取り付けた状態の正面図である。
【図７】この考案の実施例の支柱取付金具の両端の親綱取付部にターンバックルの一端又は巻付グリップの一端を夫々取り付けた状態の一部正面図である。
【図８】従来の高速道路の両側に設けられた法面を示す説明図である。
【符号の説明】
【００３３】
Ａ    支柱                     Ｂ    遮蔽材          Ｃ    遮蔽壁
Ｄ    法面                     Ｅ    作業者
１    支柱取付金具             ２    刃部            ３    アングル材
４    貫通孔                   ５    小孔            ６    親綱取付部
７    ボルト                   ８    ナット          ９    親綱
１０    第１ロープ            １１    第２ロープ    １２    安全帯
１３    亜鉛メッキ鋼より線    １４    ターンバックル
１５    巻付グリップ
【図１】
0003165143.tif 000003
【図２】
0003165143.tif 000004
【図３】
0003165143.tif 000005
【図４】
0003165143.tif 000006
【図５】
0003165143.tif 000007
【図６】
0003165143.tif 000008
【図７】
0003165143.tif 000009
【図８】
0003165143.tif 000010